(57)【要約】【課題】野縁受とその他の各部品とを互いに滑りにくくでき、各部品の水平面上における横方向の動きを規制できて、野縁、野縁取付具、野縁受の脱落を防止できる野縁受を提供する。【解決手段】本発明の野縁受２５は、野縁受本体２６の表面２７に、野縁受本体２６の表面２７の摩擦係数よりも摩擦係数の高い材料により形成された表層２８を備えたことを特徴とする。例えば、金属製の野縁受本体２６と、野縁受本体の表面２７に、高摩擦係数材料としてのジンクリッチ、ケブラー、カーボン、セラミック、ウレタンゴムなどにより形成された表層２８とを備える。【選択図】図１
2008214897.tif 000002
【特許請求の範囲】
【請求項１】
野縁受本体の表面に、野縁受本体の表面の摩擦係数よりも摩擦係数の高い材料により形成された表層を備えたことを特徴とする野縁受。
【発明の詳細な説明】
【技術分野】
【０００１】
本発明は、地震の際などにおいて、野縁、野縁取付具、野縁受の脱落防止に貢献する野縁受に関する。
【背景技術】
【０００２】
天井コンクリートスラブ、吊ボルト、ハンガー、野縁受、野縁取付具、野縁を備えた天井下地が知られている（例えば、特許文献１参照）。
図２を参照し、天井下地の構造の一例を説明する。天井下地１は、吊ボルト２を、図外の天井コンクリートスラブに埋設したインサートナットやデッキプレートに取り付け、この吊ボルト２にハンガー３を取り付け、ハンガー３に野縁受４を取り付け、野縁取付具７を用いて野縁６を野縁受４に取り付けて形成される。そして、天井板が野縁受４の下面に取り付けられて天井が形成される。
ハンガー３は、取付片１０、支持片１１、野縁受保持部１２を備える。取付片１０には吊ボルト２を貫通させるための図外の貫通孔が形成される。吊ボルト２の下端１３から取付片１０の貫通孔に吊ボルト２を通し、取付片１０を上下から挟むように吊ボルト２のねじ部１４に取り付けられた上下のナット１５；１６がそれぞれ締め付けられることによって取付片１０が吊ボルト２に固定される。支持片１１は、取付片１０より下方に延長する。支持片１１の下部には、支持片１１より下方に延長して先端が折り返されたことによって形成されたＵ字形状の野縁受保持部１２を備える。野縁受保持部１２を形成する相対峙する２つの挟持片１７；１８の上部は互いに近づく方向に変形されて野縁受４の上方への移動を規制する規制部１９；２０に形成される。挟持片１８の上部に設けられた規制部２０には野縁受４の上板部３１の上面３３に係止する係止片２１が切り込みによる板部により形成される。
野縁受４は、長尺な方向と直交する方向に切断された断面がコ字形状である長尺物により形成される。野縁受のコ字形状は、縦板部３０と縦板部３０の上端及び下端より同方向に延長して互いに平行に相対峙する上板部３１と下板部３２とにより形成される。
上記野縁受４がハンガー３の野縁受保持部１２内に嵌め込まれて取り付けられる。
野縁６は、長尺な方向と直交する方向に切断された断面がほぼ凹形状である長尺金物よりなる。野縁６のほぼ凹形状は、底横板部４０と、底横板部４０の左右両端より同方向に延長して互いに平行に相対峙する左右一対の側縦板部４１；４２と、各側縦板部４１；４２の上端より互いに近づく方向に延長して互いに空間を隔てて相対峙する左右一対の上横板部４３；４４と、各上横板部４３；４４の先端より下方に直角に延長する左右一対の垂下板部４５；４６とにより形成される。底横板部４０と上横板部４３；４４とは互いに平行である。側縦板部４１；４２と垂下板部４５；４６とは互いに平行である。側縦板部４１と上横板部４３と垂下板部４５とによって係合溝４７が形成され、側縦板部４２と上横板部４４と垂下板部４６とによって係合溝４８が形成される。
野縁取付具７は、支持部７１と、支持部７１の下部に設けられた係合部７２と、支持部７１の上部に設けられた取付部７３とを備える。係合部７２は、支持部７１の下端部に錨のような形状に形成される。取付部７３は、野縁受４の上板部３１の上面３３に載置される載置部７５と、載置部７５より先端側に設けられた爪板状の係止部７６とを備える。野縁取付具７の係合部７２が野縁６の左右の係合溝４７；４８に係合され、野縁受４の上板部３１の前端縁３１ａの位置に合わせて取付部７３が支持部７１と直角をなすように折り曲げられることで、載置部７５が野縁受４の上板部３１の上面３３に載置され、さらに、野縁受４の上板部３１の後端縁３０ｂの位置に合わせて係止部７６が下方に折り曲げられることで、折り曲げられた係止部７６が野縁受４の縦板部３０の外面３０ｆに係止される。以上により、野縁６が野縁取付具７によって野縁受４に取り付けられる。
【特許文献１】特開平８−１３６８２号公報
【発明の開示】
【発明が解決しようとする課題】
【０００３】
従来の天井下地では、野縁受４とハンガー３、野縁受４と野縁取付具７、野縁受４と野縁６とが互いに接触した状態となるが、ハンガー３、野縁受４、野縁取付具７、野縁６の各部品は、例えば、鋼のような金属により形成されるので、野縁受４とその他の各部品との接触面の摩擦力は小さい。このため、地震の際などにおいて、野縁受４とその他の各部品とが互いに滑りやすくなり、各部品が水平面上において横方向に動きやすくなるので、ハンガー２と野縁取付具７とが衝突したり、野縁受４が傾いたりして、野縁受４とその他の各部品との結合力が弱まり、野縁６、野縁取付具７、野縁受４の脱落を招くという課題があった。
【課題を解決するための手段】
【０００４】
本発明の野縁受は、野縁受本体の表面に、野縁受本体の表面の摩擦係数よりも摩擦係数の高い材料により形成された表層を備えたことを特徴とする。
【発明の効果】
【０００５】
本発明の野縁受によれば、野縁受本体の表面に、野縁受本体の表面の摩擦係数よりも摩擦係数の高い材料により形成された表層を備えたので、地震の際などにおいて、野縁受とその他の各部品とが互いに滑りにくくなり、各部品が水平面上において横方向に動きにくくなるので、野縁、野縁取付具、野縁受の脱落を防止できる。
【発明を実施するための最良の形態】
【０００６】
図１は最良の形態１を示し、図１（ａ）は野縁受を示し、図１（ｂ）は野縁受の断面を示す。
【０００７】
図１を参照し、野縁受の構造を説明する。野縁受２５は、金属製の野縁受本体２６と、野縁受本体２６の表面２７に形成された表層２８とを備える。
野縁受本体２６は、鋼やステンレス鋼のような金属により形成されたり、鋼やステンレス鋼のような金属の表面に亜鉛やアルミなどの金属めっき層を備えた構成である。野縁受本体２６は、長尺な方向と直交する方向に切断された断面がコ字形状である長尺物により形成される。野縁受本体２６のコ字形状は、縦板部３５と縦板部３５の上端及び下端より同方向に延長して互いに平行に相対峙する上板部３６と下板部３７とにより形成される。
表層２８は、野縁受本体２６の表面２７の摩擦係数よりも摩擦係数の高い高摩擦係数材料が野縁受本体２６の表面２７にコーティングされて形成される。表層２８は、野縁受本体２６の表面２７に高摩擦係数材料を塗布したり、溶射したり、接着したりして形成される。高摩擦係数材料としては、ジンクリッチ、ケブラー、カーボン、セラミック、ウレタンゴムなどを使用する。
【０００８】
例えば、高摩擦係数材料を含む高摩擦塗料を入れた槽に野縁受本体２６を浸し、野縁受本体２６の表面２７に、表面２７の全体を高摩擦塗料で覆った表層２８を設けることによって、野縁受２５を形成できる。
【０００９】
最良の形態による野縁受本体２６と表層２８とを備えた野縁受２５を、野縁受本体２６と同じである図２の野縁受４の代わりに使用することによって、野縁受４を用いた場合と比べて、野縁受２５とハンガー３、野縁受２５と野縁取付具７、野縁受２５と野縁６とが互いに接触する部位の摩擦力、即ち、野縁受２５とその他の各部品との接触面の摩擦力が大きくなる。従って、地震の際などにおいて、野縁受２５の表層２８が、野縁受２５とその他の各部品とを互いに滑りにくくし、各部品の水平面上における横方向の動きを規制する。よって、ハンガー２と野縁取付具７との衝突や、野縁受２５が傾いたりすることが規制されるので、野縁６、野縁取付具７、野縁受２５の脱落を防止できる。
【産業上の利用可能性】
【００１０】
表層２８は、ハンガー３、野縁取付具７、野縁６に接触する部位、即ち、野縁受本体２６のコ字の内側表面を除いた表面に設けるだけでもよい。
【図面の簡単な説明】
【００１１】
【図１】（ａ）は野縁受の斜視図、（ｂ）は野縁受の断面図（最良の形態）。
【図２】従来の天井下地の構造を示す斜視図。
【符号の説明】
【００１２】
２５  野縁受、２６  野縁受本体、２７  野縁受本体の表面、２８  表層。
【図１】
2008214897.tif 000003
【図２】
2008214897.tif 000004